(57)【特許請求の範囲】
【請求項１】
矩形の開口を一方の面に有する収容室を内部に有する直方体状のハウジングと、
前記ハウジングの一方の面と反対側の他方の面から前記収容室に収容自在に配置され、前記ハウジングの一方の面に臨んで、相手側の電気コネクタを導入自在に矩形に開口した角筒状のシェルと、
前記ハウジングの内部に配列した複数のベローズ形のコンタクトと、を備え、
前記ハウジングは、他方の面から一方の面に貫通し、前記収容室の内側壁から窪んだ一対の第１条溝を有し、
前記シェルは、
一対の側面板の開口側から外側に開き、一対の前記第１条溝を通過自在な一対の側部フランジと、
一対の前記側面板から前記第１条溝の底面に向って突出し、前記第１条溝の底面に当接した第１突部と、を有している、電気コネクタ。
【請求項２】
前記第１突部は、前記シェルの側面板から台形台状に突出したボスからなる、請求項１記載の電気コネクタ。
【請求項３】
前記第１突部は、前記シェルの側面板の内壁から外壁側に屈曲した切り曲げ片からなる、請求項１記載の電気コネクタ。
【請求項４】
前記第１突部は、前記シェルの側面板の外壁に接合した平板部材からなる、請求項１記載の電気コネクタ。
【請求項５】
前記ハウジングは、他方の面から一方の面に貫通し、前記収容室の内上壁から窪んだ第２条溝を更に有し、
前記シェルは、
上面板の開口側から外側に開き、前記第２条溝を通過自在な上部フランジと、
前記上面板から前記第２条溝の底面に向って突出し、前記第２条溝の底面に当接した第２突部と、を更に有している、請求項１から４のいずれかに記載の電気コネクタ。
【請求項６】
前記第２突部は、前記シェルの上面板から台形台状に突出したボスからなる、請求項５記載の電気コネクタ。
【発明の詳細な説明】
【技術分野】
【０００１】
本発明は、電気コネクタに関する。特に、電磁波を遮蔽する金属板からなるシェルをハウジングの内部に配置した電気コネクタであって、相手側コネクタを嵌合したときに、シェルの変形を防止できる電気コネクタの構造に関する。
【背景技術】
【０００２】
パソコン本体とキーボード、マウス、又は、モデムなどの周辺機器とを電気的に接続するデータ伝送路の規格の一つとして、ＵＳＢ（Ｕｎｉｖｅｒｓａｌ  Ｓｅｒｉａｌ  Ｂｕｓ）が知られている。
【０００３】
近年では、携帯電話機などに設置したバッテリを充電するために、ＵＳＢポートを自動車に設置している。充電器であるクレードル（Ｃｒａｄｌｅ）に携帯電話機を搭載し、クレードルから延出したＵＳＢケーブルの端末に設けた相手側のＵＳＢコネクタ（プラグ）を自動車側のＵＳＢコネクタ（レセプタクル）に接続することで、自動車側から携帯電話機に給電できる。
【０００４】
例えば、相手側のＵＳＢコネクタ（プラグ）を接続自在なＵＳＢコネクタ（レセプタクル）を二段に並列配置した電気コネクタであって、シェルを保護する部材を備えて強度を高めた電気コネクタが開示されている（例えば、特許文献１参照）。
【先行技術文献】
【特許文献】
【０００５】
【特許文献１】特開２０１３−２３５７７１号公報
【発明の概要】
【発明が解決しようとする課題】
【０００６】
図１２は、従来技術による電気コネクタの構成を示す斜視図である。図１３は、従来技術による電気コネクタの構成を示す斜視分解組立図である。図１４は、従来技術による電気コネクタの構成を示す横断面図である。なお、本願の図１２と図１３は、特許文献１の図１と図４Ａに相当し、本願の図１４は、特許文献１の図１４に相当している。
【０００７】
図１２から図１４を参照すると、従来技術による電気コネクタ９は、直方体状の外部ハウジング９１、上段シェル９２、及び、下段シェル９３を備えている。又、電気コネクタ９は、内部ハウジング９４と複数のベローズ形のコンタクト９５を備えている。
【０００８】
図１２又は図１３を参照すると、外部ハウジング９１は、前面側に矩形に開口した上段収容室９１１を内部に有している。又、外部ハウジング９１は、前面側に矩形に開口した下段収容室９１２を内部に有している。上段収容室９１１には、外部ハウジング９１の背面側から上段シェル９２を収容できる。下段収容室９１２には、外部ハウジング９１の背面側から下段シェル９３を収容できる。
【０００９】
図１３を参照すると、上段シェル９２は、導電性を有する展開板を成形して角筒状に構成している。同様に、下段シェル９３は、導電性を有する展開板を成形して角筒状に構成している。上段シェル９２は、上面板９２ａから連続して背面側に延びる電磁遮蔽板９２ｈを有している。上面板９２ａに対して、電磁遮蔽板９２ｈを略直角に折り曲げることで、上段シェル９２と下段シェル９３を一体に結合できる。又、上面板９２ａに対して、電磁遮蔽板９２ｈを略直角に折り曲げることで、上段シェル９２の背面側、及び、下段シェル９３の背面側を電磁シールドできる。
【００１０】
図１２又は図１３を参照すると、内部ハウジング９４は、本体の一端部側に突出した帯板状の第１ヘッダ９４１を有している。又、内部ハウジング９４は、本体の一端部側に突出した帯板状の第２ヘッダ９４２を有している。電磁遮蔽板９２ｈを略直角に折り曲げる前に、第１ヘッダ９４１を上段シェル９２の内部に装着できる。同様に、電磁遮蔽板９２ｈを略直角に折り曲げる前に、第２ヘッダ９４２を下段シェル９３の内部に装着できる。
【００１１】
図１２又は図１４を参照すると、コンタクト９５は、その接点が第１ヘッダ９４１の下面から突出した状態で配置されている。同様に、コンタクト９５は、その接点が第２ヘッダ９４２の下面から突出した状態で配置されている。
【００１２】
図１２又は図１３を参照して、図示しない相手側の電気コネクタ（プラグ）を電気コネクタ９の上段シェル９２の開口に挿入すると、相手側コンタクトと第１ヘッダ９４１に配置されたコンタクト９５を電気的に接続できる。又、図示しない相手側の電気コネクタ（プラグ）を電気コネクタ９の下段シェル９３の開口に挿入すると、相手側コンタクトと第２ヘッダ９４２に配置されたコンタクト９５を電気的に接続できる。
【００１３】
図１２から図１４を参照すると、従来技術による電気コネクタ９は、上段シェル９２を外部ハウジング９１で囲っているので、図示しない相手側の電気コネクタを上段シェル９２に挿入しても、上段シェル９２の変形を防止できる、としている。
【００１４】
又、図１２から図１４を参照すると、従来技術による電気コネクタ９は、下段シェル９３を外部ハウジング９１で囲っているので、図示しない相手側の電気コネクタを下段シェル９３に挿入しても、下段シェル９３の変形を防止できる、としている。
【００１５】
図１２から図１４を参照すると、上段シェル９２は、一対の第１フランジ９２ｆ・９２ｆを有している。一対の第１フランジ９２ｆ・９２ｆは、一対の側面板９２ｓ・９２ｓの開口側で外側に折り曲げられている。又、上段シェル９２は、一対の第２フランジ９２ｍ・９２ｍを有している。一対の第２フランジ９２ｍ・９２ｍは、一組の上面板９２ａ及び下板９２ｂの開口側で外側に折り曲げられている。
【００１６】
図１２から図１４を参照すると、上段シェル９２は、一対の第１フランジ９２ｆ・９２ｆ及び一対の第２フランジ９２ｍ・９２ｍを開口側に備えているので、図示しない相手側の電気コネクタを上段シェル９２の内部に円滑に導入できる。
【００１７】
同様に、図１２から図１４を参照すると、下段シェル９３は、一対の第３フランジ９３ｆ・９３ｆを有している。一対の第３フランジ９３ｆ・９３ｆは、一対の側面板９３ｓ・９３ｓの開口側で外側に折り曲げられている。又、下段シェル９３は、一対の第４フランジ９３ｍ・９３ｍを有している。一対の第４フランジ９３ｍ・９３ｍは、一組の上面板９３ａ及び下面板９３ｂの開口側で外側に折り曲げられている。
【００１８】
図１２から図１４を参照すると、下段シェル９３は、一対の第３フランジ９３ｆ・９３ｆ及び一対の第４フランジ９３ｍ・９３ｍを開口側に備えているので、図示しない相手側の電気コネクタを下段シェル９３の内部に円滑に導入できる。
【００１９】
ところで、図１３を参照すると、外部ハウジング９１は、一対の第１フランジ９２ｆ・９２ｆを逃げる一対の条溝９１ｄ・９１ｄを上段収容室９１１の内側壁に形成している。一対の条溝９１ｄ・９１ｄを上段収容室９１１の内側壁に形成することで、上段シェル９２を外部ハウジング９１の背面側から挿入できる。
【００２０】
同様に、図１３を参照すると、外部ハウジング９１は、一対の第３フランジ９３ｆ・９３ｆを逃げる一対の条溝９２ｄ・９２ｄを下段収容室９１２の内側壁に形成している。一対の条溝９２ｄ・９２ｄを下段収容室９１２の内側壁に形成することで、下段シェル９３を外部ハウジング９１の背面側から挿入できる。
【００２１】
しかし、図１４を参照して、下段シェル９３を代表して説明すると、側面板９２ｓと条溝９２ｄの底面には、空隙が設けられている。図１４に示した状態で、図示しない相手側の電気コネクタを下段シェル９３の内部に傾斜した状態で挿入すると、側面板９２ｓを条溝９２ｄの底面に向って変形させる心配がある。特に、車載用のＵＳＢコネクタ（レセプタクル）では、相手側のＵＳＢコネクタ（プラグ）を不用意に斜めに挿入して、内部のシェルを変形させる心配がある。
【００２２】
相手側の電気コネクタを導入自在な角筒状のシェルを直方体状のハウジングの内部に配置した電気コネクタであって、相手側の電気コネクタを不用意に斜めに挿入しても、シェルを変形させる心配の無い電気コネクタが求められている。そして、以上のことが本発明の課題といってよい。
【００２３】
本発明は、このような課題に鑑みてなされたものであり、相手側の電気コネクタを不用意に斜めに挿入しても、シェルを変形させる心配の無い電気コネクタを提供することを目的とする。
【課題を解決するための手段】
【００２４】
本発明者らは、相手側の電気コネクタを導入自在な角筒状のシェルを直方体状のハウジングの内部に配置した電気コネクタであって、ハウジングは、シェルの開口側に形成した一対の側部フランジを逃げる一対の条溝を内側壁に有し、一対の条溝に当接自在な突部をシェルの側面から突出することで、相手側の電気コネクタを不用意に斜めに挿入しても、シェルを変形させる心配が無くなると考え、これに基づいて、以下のような新たな電気コネクタを発明するに至った。
【００２５】
（１）  矩形の開口を一方の面に有する収容室を内部に有する直方体状のハウジングと、前記ハウジングの一方の面と反対側の他方の面から前記収容室に収容自在に配置され、前記ハウジングの一方の面に臨んで、相手側の電気コネクタを導入自在に矩形に開口した角筒状のシェルと、前記ハウジングの内部に配列した複数のベローズ形のコンタクトと、を備え、前記ハウジングは、他方の面から一方の面に貫通し、前記収容室の内側壁から窪んだ一対の第１条溝を有し、前記シェルは、一対の側面板の開口側から外側に開き、一対の前記第１条溝を通過自在な一対の側部フランジと、一対の前記側面板から前記第１条溝の底面に向って突出し、前記第１条溝の底面に当接した第１突部と、を有している、電気コネクタ。
【００２６】
（２）  前記第１突部は、前記シェルの側面板から台形台状に突出したボスからなる、（１）記載の電気コネクタ。
【００２７】
（３）  前記第１突部は、前記シェルの側面板の内壁から外壁側に屈曲した切り曲げ片からなる、（１）記載の電気コネクタ。
【００２８】
（４）  前記第１突部は、前記シェルの側面板の外壁に接合した平板部材からなる、（１）記載の電気コネクタ。
【００２９】
（５）  前記ハウジングは、他方の面から一方の面に貫通し、前記収容室の内上壁から窪んだ第２条溝を更に有し、前記シェルは、上面板の開口側から外側に開き、前記第２条溝を通過自在な上部フランジと、前記上面板から前記第２条溝の底面に向って突出し、前記第２条溝の底面に当接した第２突部と、を更に有している、（１）から（４）のいずれかに記載の電気コネクタ。
【００３０】
（６）  前記第２突部は、前記シェルの上面板から台形台状に突出したボスからなる、（５）記載の電気コネクタ。
【発明の効果】
【００３１】
本発明による電気コネクタは、相手側の電気コネクタを導入自在な角筒状のシェルを直方体状のハウジングの内部に配置した電気コネクタであって、ハウジングは、シェルの開口側に形成した一対の側部フランジを逃げる一対の条溝を内側壁に有し、一対の条溝に当接自在な突部をシェルの側面板から突出することで、相手側の電気コネクタを不用意に斜めに挿入しても、シェルを変形させる心配が無くなる。
【図面の簡単な説明】
【００３２】
【図１】本発明の第１実施形態による電気コネクタの構成を示す斜視図であり、図１（Ａ）は、電気コネクタを上方から観た状態図、図１（Ｂ）は、電気コネクタを下方から観た状態図である。
【図２】第１実施形態による電気コネクタの構成を示す斜視図であり、図２（Ａ）は、電気コネクタを上方から観た状態図、図２（Ｂ）は、電気コネクタを下方から観た状態図である。
【図３】第１実施形態による電気コネクタの構成を示す図であり、図３（Ａ）は、電気コネクタの正面図、図３（Ｂ）は、電気コネクタの平面図、図３（Ｃ）は、電気コネクタの右側面図、図３（Ｄ）は、電気コネクタの左側面図、図３（Ｅ）は、電気コネクタの下面図、図３（Ｆ）は、電気コネクタの背面図である。
【図４】第１実施形態による電気コネクタの横断面図であり、図３（Ａ）のＡ−Ａ矢視断面図である。
【図５】図４の斜視図である。
【図６】第１実施形態による電気コネクタの構成を示す斜視分解組立図である。
【図７】第１実施形態による電気コネクタに備わるハウジングの構成を示す図であり、図７（Ａ）は、ハウジングの正面図、図７（Ｂ）は、ハウジングの平面図、図７（Ｃ）は、ハウジングの右側面図、図７（Ｄ）は、ハウジングの左側面図、図７（Ｅ）は、ハウジングの下面図、図７（Ｆ）は、ハウジングの背面図、図７（Ｇ）は、ハウジングを背面側から観た斜視図である。
【図８】第１実施形態による電気コネクタに備わるシェルの構成を示す図であり、図８（Ａ）は、シェルの斜視図、図８（Ｂ）は、図８（Ａ）の要部を拡大した斜視図である。
【図９】第１実施形態による電気コネクタに備わるシェルの第１変形例の構成を示す図であり、図９（Ａ）は、第１変形例によるシェルの斜視図、図９（Ｂ）は、図９（Ａ）の要部を拡大した斜視図である。
【図１０】第１実施形態による電気コネクタに備わるシェルの第２変形例の構成を示す図であり、図１０（Ａ）は、第２変形例によるシェルの斜視図、図１０（Ｂ）は、図１０（Ａ）の要部を拡大した斜視図である。
【図１１】本発明の第２実施形態による電気コネクタに備わるシェルの構成を示す図であり、図１１（Ａ）は、シェルの斜視図、図１１（Ｂ）は、図１１（Ａ）の要部を拡大した斜視図である。
【図１２】従来技術による電気コネクタの構成を示す斜視図である。
【図１３】従来技術による電気コネクタの構成を示す斜視分解組立図である。
【図１４】従来技術による電気コネクタの構成を示す横断面図である。
【発明を実施するための形態】
【００３３】
以下、図面を参照して本発明を実施するための形態を説明する。
【００３４】
［第１実施形態］
（電気コネクタの構成）
最初に、本発明の第１実施形態による電気コネクタの構成を説明する。図１は、本発明の第１実施形態による電気コネクタの構成を示す斜視図であり、図１（Ａ）は、電気コネクタを上方から観た状態図、図１（Ｂ）は、電気コネクタを下方から観た状態図である。
【００３５】
図２は、第１実施形態による電気コネクタの構成を示す斜視図であり、図２（Ａ）は、電気コネクタを上方から観た状態図、図２（Ｂ）は、電気コネクタを下方から観た状態図である。
【００３６】
図３は、第１実施形態による電気コネクタの構成を示す図であり、図３（Ａ）は、電気コネクタの正面図、図３（Ｂ）は、電気コネクタの平面図、図３（Ｃ）は、電気コネクタの右側面図、図３（Ｄ）は、電気コネクタの左側面図、図３（Ｅ）は、電気コネクタの下面図、図３（Ｆ）は、電気コネクタの背面図である。
【００３７】
図４は、第１実施形態による電気コネクタの横断面図であり、図３（Ａ）のＡ−Ａ矢視断面図である。図５は、図４の斜視図である。図６は、第１実施形態による電気コネクタの構成を示す斜視分解組立図である。
【００３８】
図７は、第１実施形態による電気コネクタに備わるハウジングの構成を示す図であり、図７（Ａ）は、ハウジングの正面図、図７（Ｂ）は、ハウジングの平面図、図７（Ｃ）は、ハウジングの右側面図、図７（Ｄ）は、ハウジングの左側面図、図７（Ｅ）は、ハウジングの下面図、図７（Ｆ）は、ハウジングの背面図である。
【００３９】
図８は、第１実施形態による電気コネクタに備わるシェルの構成を示す図であり、図８（Ａ）は、シェルの斜視図、図８（Ｂ）は、図８（Ａ）の要部を拡大した斜視図である。
【００４０】
（全体構成）
図１から図６を参照すると、本発明の第１実施形態による電気コネクタ（以下、コネクタと略称する）１０は、直方体状のハウジング１、角筒状のシェル２、及び、四つのベローズ形のコンタクト３を備えている。ハウジング１は、収容室１１を内部に有している。収容室１１は、矩形の開口１１ａを前面側（一方の面）に有している。
【００４１】
図６又は図８を参照すると、シェル２は、Ｃ字状に形成したシェル本体２１と平板状の底板２２で構成している。シェル本体２１の底部側を底板２２で封鎖することで、角筒状のシェル２を得ることができる。
【００４２】
図４から図８を参照すると、シェル２は、ハウジング１の前面側と反対側の背面側（他方の面）から、収容室１１に収容自在に配置できる。又、シェル２は、ハウジング１の前面側に臨んで、相手側の電気コネクタ（図示せず）を導入自在に、矩形に開口している。
【００４３】
図１から図６を参照すると、四つのコンタクト３は、ハウジング１に設けたヘッダ１１ｈに横一列に配列している。
【００４４】
図６又は図７（Ａ）を参照すると、ハウジング１は、収容室１１の内側壁から窪んだ一対の第１条溝１１ｄ・１１ｄを有している。これらの第１条溝１１ｄ・１１ｄは、ハウジング１の背面側から前面側に貫通している。
【００４５】
一方、図６又は図８を参照すると、シェル本体２１は、一対の側面板２１ｓ・２１ｓの開口側から外側に開いた一対の側部フランジ２１ｆ・２１ｆを有している。これらの側部フランジ２１ｆ・２１ｆは、一対の第１条溝１１ｄ・１１ｄを通過できる（図６又は図７（Ａ）参照）。
【００４６】
図６又は図８を参照すると、シェル本体２１は、一対の側部フランジ２１ｆ・２１ｆを開口側に備えているので、図示しない相手側の電気コネクタをシェル２の内部に円滑に導入できる。
【００４７】
又、図４又は図６及び図８を参照すると、シェル本体２１は、一対の側面板２１ｓ・２１ｓから第１条溝１１ｄ・１１ｄの底面に向って突出した第１突部２１ｂを有している。第１突部２１ｂは、第１条溝１１ｄの底面に当接している（図４参照）。第１突部２１ｂは、図８に示すように、シェル本体２１の側面板２１ｓから台形台状に突出したボスで構成できる。
【００４８】
図４を参照すると、側面板２１ｓと第１条溝１１ｄの底面には、空隙が設けられている。図４に示した状態で、図示しない相手側の電気コネクタをシェル２の内部に傾斜した状態で挿入しても、側面板２１ｓに設けた第１突部２１ｂが第１条溝１１ｄの底面に当接しているので、側面板２１ｓを変形させる心配が無い。
【００４９】
（ハウジングの構成）
次に、第１実施形態によるハウジング１の構成を説明する。図１から図７を参照すると、ハウジング１は、絶縁性を有している。非導電性の材料からなる合成樹脂を成形して、所望の形状の絶縁性のハウジング１を得ることができる。
【００５０】
図６又は図７（Ａ）を参照すると、ハウジング１は、収容室１１の内上壁から窪んだ第２条溝１２ｄを更に有している。第２条溝１２ｄは、ハウジング１の背面側から前面側に貫通している。第２条溝１２ｄには、後述する上部フランジ２２ｆを通過できる（図６参照）。
【００５１】
（シェルの構成）
次に、第１実施形態によるシェル２の構成を説明する。図６又は図８を参照すると、シェル本体２１は、導電性を有する展開板を成形してＣ字状に構成している。底板２２は、導電性を有する展開板を成形して平板状に構成している。
【００５２】
図６又は図８を参照すると、シェル本体２１は、上面板２１ｔから連続して背面側に延びる電磁遮蔽板２１ｈを有している。上面板２１ｔに対して、電磁遮蔽板２１ｈを略直角に折り曲げることで、シェル本体２１の背面側を電磁シールドできる（図３（Ｆ）参照）。
【００５３】
図６又は図８を参照すると、上面板２１ｔは、片持ち支持された板ばね２１１を中央部に配置している。板ばね２１１は、シェル本体２１の内部に導入された相手側の電気コネクタ（図示せず）の上面に力を付勢できる。
【００５４】
図６又は図８を参照すると、シェル本体２１は、上部フランジ２２ｆを有している。上部フランジ２２ｆは、上面板２１ｔの開口側で外側に折り曲げられている。シェル本体２１は、上部フランジ２２ｆを開口側に備えているので、図示しない相手側の電気コネクタをシェル２の内部に円滑に導入できる。
【００５５】
図４から図６又は図８を参照すると、一対の側面板２１ｓ・２１ｓは、対向配置した板ばね２１２・２１２を有している。板ばね２１２は、側面板２１ｓに片持ち支持されている。一対の板ばね２１２・２１２は、シェル本体２１の内部に導入された相手側の電気コネクタ（図示せず）の側面に力を付勢できる。
【００５６】
図６又は図８を参照すると、一対の側面板２１ｓ・２１ｓは、上面板２１ｔと反対側に突出した複数の脚片２１３を有している。複数の脚片２１３は、Ｚ曲げ部２１ｚを介して、上面板２１ｔと反対側に突出している。
【００５７】
図１（Ｂ）又は図２（Ｂ）を参照すると、脚片２１３は、プリント基板１ｐに開口したスルーホールにハンダ接合できる。すなわち、第１実施形態によるコネクタ１０は、プリント基板１ｐの表面１１ｐに実装自在なプリント基板用コネクタである（図１（Ａ）又は図２（Ａ）参照）。
【００５８】
図６を参照すると、底板２２は、ハウジング１の収容室１１の底面に沿って、ハウジング１の内部に配置できる。底板２２は、ハウジング１の前面側から背面側に向かって挿入できる。
【００５９】
図６を参照すると、底板２２は、一対のランス２２１・２２１を基端部側に備えている。底板２２をハウジング１の前面側から背面側に向かって挿入すると、一対のランス２２１・２２１をシェル本体２１の基端部に開口した係止穴２１ｋ・２１ｋに係止できる。そして、底板２２をハウジング１の内部に固定できる。
【００６０】
図６を参照すると、底板２２は、片持ち支持された一対のランス２２ｒ・２２ｒを先端部側に備えている。これらのランス２２ｒ・２２ｒは、半円弧状の突起２２ｂを先端部に備えている。相手側の電気コネクタ（図示せず）をシェル２の内部に挿入すると、一対の突起２２ｂ・２２ｂを相手側の電気コネクタ（図示せず）の下面に開口した係止穴に係止できる。そして、相手側の電気コネクタ（図示せず）をロックできる。
【００６１】
（コンタクトの構成）
次に、第１実施形態によるコンタクト３の構成を説明する。図６を参照して、コンタクト３は導電性を有しており、導電性の金属板を打ち抜き加工又は折り曲げ加工して、所望の形状の導電性のコンタクト３を得ることができる。コンタクト３は、加工の容易性や、ばね特性、導電性などを考慮すれば、例えば、銅合金が好ましく用いられるが、銅合金に限定される訳ではない。コンタクト３は、ベローズ形コンタクト、又はカンチレバーコンタクトと呼ばれる、片持ち状の板ばねからなることが好ましい。
【００６２】
図６を参照すると、コンタクト３は、自由片３１と固定片３２で構成している。固定片３２は、自由片３１の基端部から略直角に折り曲げられている。自由片３１は、接点３１ｓを先端部に有している。又、自由片３１は、圧入部３１ｐを基端部に有している。圧入部３１ｐをヘッダ１１ｈに圧入することで、コンタクト３をヘッダ１１ｈに固定できる（図５参照）。
【００６３】
図６を参照すると、固定片３２は、リード部３２ｒを先端部側に有している。図１（Ｂ）又は図２（Ｂ）を参照すると、リード部３２ｒは、プリント基板１ｐに開口したスルーホールにハンダ接合できる。すなわち、第１実施形態によるコネクタ１０は、プリント基板１ｐの表面１１ｐに実装自在なプリント基板用コネクタである（図１（Ａ）又は図２（Ａ）参照）。
【００６４】
図１（Ｂ）又は図２（Ｂ）を参照すると、コンタクト３は、その接点３１ｓがヘッダ１１ｈの下面から突出した状態で配置されている。相手側の電気コネクタ（図示せず）をコネクタ１０に挿入すると、相手側のコンタクトをコンタクト３に電気的に接続できる。
【００６５】
（電気コネクタの作用）
次に、第１実施形態によるコネクタ１０の作用及び効果を説明する。図１から図８を参照すると、第１実施形態によるコネクタ１０は、相手側の電気コネクタを導入自在な角筒状のシェル２を直方体状のハウジング１の内部に配置している。ハウジング１は、シェル２の開口側に形成した一対の側部フランジ２１ｆ・２１ｆを逃げる一対の第１条溝１１ｄ・１１ｄを内側壁に有している。
【００６６】
図４を参照すると、第１実施形態によるコネクタ１０は、一対の第１条溝１１ｄ・１１ｄの底面に当接自在な第１突部２１ｂをシェル２の側面板２１ｓから突出することで、相手側の電気コネクタを不用意に斜めに挿入しても、シェル２を変形させる心配が無くなる。
【００６７】
（第１変形例）
次に、第１実施形態によるコネクタ１０に備わるシェル２の第１変形例の構成を説明する。図９は、第１実施形態による電気コネクタに備わるシェルの第１変形例の構成を示す図であり、図９（Ａ）は、第１変形例によるシェルの斜視図、図９（Ｂ）は、図９（Ａ）の要部を拡大した斜視図である。
【００６８】
図９を参照すると、第１変形例によるシェル本体２１は、シェル本体２１の側面板２１ｓから台形台状に突出したボスで構成した第１突部２１ｂ（図８参照）に変えて、シェル本体２１の側面板２１ｓの内壁から外壁側に屈曲した一対の切り曲げ片２１ｃ・２１ｃで構成している。
【００６９】
（第２変形例）
次に、第１実施形態によるコネクタ１０に備わるシェル２の第２変形例の構成を説明する。図１０は、第１実施形態による電気コネクタに備わるシェルの第２変形例の構成を示す図であり、図１０（Ａ）は、第２変形例によるシェルの斜視図、図１０（Ｂ）は、図１０（Ａ）の要部を拡大した斜視図である。
【００７０】
図１０を参照すると、第２変形例によるシェル本体２１は、シェル本体２１の側面板２１ｓから台形台状に突出したボスで構成した第１突部２１ｂ（図８参照）に変えて、シェル本体２１の側面板２１ｓの外壁に接合した矩形の平板部材２１ｄで構成している。
【００７１】
［第２実施形態］
（電気コネクタの構成）
次に、本発明の第２実施形態による電気コネクタの構成を説明する。図１１は、本発明の第２実施形態による電気コネクタに備わるシェルの構成を示す図であり、図１１（Ａ）は、シェルの斜視図、図１１（Ｂ）は、図１１（Ａ）の要部を拡大した斜視図である。
【００７２】
なお、本発明の第２実施形態による電気コネクタは、第１実施形態による電気コネクタと構成を略同じにするので、第１実施形態で用いた図面を援用して説明する。
【００７３】
（全体構成）
図１から図６及び図１１を参照すると、本発明の第２実施形態による電気コネクタ（以下、コネクタと略称する）２０は、直方体状のハウジング１、角筒状のシェル４、及び、四つのベローズ形のコンタクト３を備えている。ハウジング１は、収容室１１を内部に有している。収容室１１は、矩形の開口１１ａを前面側（一方の面）に有している。
【００７４】
図６又は図８及び図１１を参照すると、シェル４は、Ｃ字状に形成したシェル本体４１と平板状の底板２２で構成している。シェル本体４１の底部側を底板２２で封鎖することで、角筒状のシェル４を得ることができる。
【００７５】
図４から図８及び図１１を参照すると、シェル４は、ハウジング１の前面側と反対側の背面側（他方の面）から、収容室１１に収容自在に配置できる。又、シェル４は、ハウジング１の前面側に臨んで、相手側の電気コネクタ（図示せず）を導入自在に、矩形に開口している。
【００７６】
一方、図１１を参照すると、シェル本体４１は、一対の側面板４１ｓ・４１ｓの開口側から外側に開いた一対の側部フランジ４１ｆ・４１ｆを有している。これらの側部フランジ４１ｆ・４１ｆは、一対の第１条溝１１ｄ・１１ｄを通過できる（図６又は図７（Ａ）参照）。
【００７７】
図１１を参照すると、シェル本体４１は、一対の側部フランジ４１ｆ・４１ｆを開口側に備えているので、図示しない相手側の電気コネクタをシェル２の内部に円滑に導入できる。
【００７８】
図１１を参照すると、シェル本体４１は、一対の側面板４１ｓ・４１ｓから第１条溝１１ｄ・１１ｄの底面に向って突出した第１突部４１ｂを有している。第１突部４１ｂは、第１条溝１１ｄの底面に当接できる（図４参照）。第１突部４１ｂは、図１１（Ａ）に示すように、シェル本体４１の側面板４１ｓから台形台状に突出したボスで構成できる。
【００７９】
図１１に示した状態で、図示しない相手側の電気コネクタをシェル４の内部に傾斜した状態で挿入しても、側面板４１ｓに設けた第１突部４１ｂが第１条溝１１ｄの底面に当接しているので、側面板４１ｓを変形させる心配が無い。
【００８０】
（シェルの構成）
次に、第２実施形態によるシェル４の構成を説明する。図１１を参照すると、シェル本体４１は、導電性を有する展開板を成形してＣ字状に構成している。
【００８１】
図１１を参照すると、シェル本体４１は、上面板４１ｔから連続して背面側に延びる電磁遮蔽板４１ｈを有している。上面板４１ｔに対して、電磁遮蔽板４１ｈを略直角に折り曲げることで、シェル本体４１の背面側を電磁シールドできる。
【００８２】
図１１を参照すると、上面板４１ｔは、片持ち支持された板ばね４１１を中央部に配置している。板ばね４１１は、シェル本体４１の内部に導入された相手側の電気コネクタ（図示せず）の上面に力を付勢できる。
【００８３】
図１１を参照すると、シェル本体４１は、上部フランジ４２ｆを有している。上部フランジ４２ｆは、上面板４１ｔの開口側で外側に折り曲げられている。シェル本体４１は、上部フランジ４２ｆを開口側に備えているので、図示しない相手側の電気コネクタをシェル４の内部に円滑に導入できる。
【００８４】
一方、図６又は図７（Ａ）を参照すると、ハウジング１は、収容室１１の内上壁から窪んだ第２条溝１２ｄを更に有している。第２条溝１２ｄは、ハウジング１の背面側から前面側に貫通している。第２条溝１２ｄには、上部フランジ４２ｆを通過できる（図１１参照）。
【００８５】
図１１を参照すると、シェル本体４１は、上面板４１ｔから第２条溝１２ｄの底面に向って突出した一対の第２突部４２ｂ・４２ｂを更に有している。一対の第２突部４２ｂ・４２ｂは、第２条溝１２ｄの底面に当接できる（図６又は図７（Ａ）参照）。第２突部４２ｂは、図１１に示すように、シェル本体２１の上面板４１ｔから台形台状に突出したボスで構成できる。
【００８６】
第２突部４２ｂは、図１１に示すように、台形台状に突出したボスで構成してもよく、図９に示すように、一対の切り曲げ片で構成してもよく、図１０に示すように、接合自在な矩形の平板部材で構成することもできる。
【００８７】
（電気コネクタの作用）
次に、第２実施形態によるコネクタ２０の作用及び効果を説明する。図６又は図７（Ａ）及び図１１を参照すると、第２実施形態によるコネクタ１０は、第２条溝１２ｄの底面に当接自在な第２突部４２ｂをシェル４の上面板４１ｔから突出することで、相手側の電気コネクタを上面板４１ｔ側に不用意に斜めに挿入しても、シェル４を変形させる心配が無くなる。
【００８８】
本発明は、相手側のＵＳＢコネクタ（プラグ）を不用意に嵌合しても、シェルを変形させる心配の無い、車載用のＵＳＢコネクタ（レセプタクル）を開示したが、本発明による電気コネクタは、ＵＳＢコネクタに限定されない。
【符号の説明】
【００８９】
１  ハウジング
２  シェル
３  コンタクト
１０  コネクタ（電気コネクタ）
１１  収容室
１１ａ  開口
１１ｄ・１１ｄ  一対の第１条溝
２１ｂ  第１突部
２１ｆ・２１ｆ  一対の側部フランジ
２１ｓ・２１ｓ  一対の側面板
【図１】
0006534910.tif 000002
【図２】
0006534910.tif 000003
【図３】
0006534910.tif 000004
【図４】
0006534910.tif 000005
【図５】
0006534910.tif 000006
【図６】
0006534910.tif 000007
【図７】
0006534910.tif 000008
【図８】
0006534910.tif 000009
【図９】
0006534910.tif 000010
【図１０】
0006534910.tif 000011
【図１１】
0006534910.tif 000012
【図１２】
0006534910.tif 000013
【図１３】
0006534910.tif 000014
【図１４】
0006534910.tif 000015